(57)【要約】【課題】本発明は、クマゼミの産卵による光ファイバの損傷を防止することのできる光ドロップケーブルを提供することを目的とするものである。【解決手段】本発明は、曲げ耐性のあるシングルモードファイバ又はホーリーファイバを用いた光ファイバ心線と、前記光ファイバ心線の周りをウレタン又はナイロン又は紫外線硬化樹脂で覆ったアップジャケットと、前記アップジャケットの上下に通したテンションメンバと、前記アップジャケット及びテンションメンバを低密度ポリエチレンで被覆した外皮と、前記外皮を吊す支持線とからなり、前記光ファイバ心線を蝉の産卵から保護することを特徴とする光ドロップケーブルの構成とした。【選択図】図１
2009294456.tif 000002
【特許請求の範囲】
【請求項１】
曲げ耐性のあるシングルモードファイバ又はホーリーファイバを用いた光ファイバ心線と、前記光ファイバ心線の周りをウレタン又はナイロン又は紫外線硬化樹脂で覆ったアップジャケットと、前記アップジャケットの上下に通したテンションメンバと、前記アップジャケット及びテンションメンバを低密度ポリエチレンで被覆した外皮と、前記外皮を吊す支持線とからなり、前記光ファイバ心線を蝉の産卵から保護することを特徴とする光ドロップケーブル。
【請求項２】
曲げ耐性のあるシングルモードファイバ又はホーリーファイバを用いた光ファイバ心線と、前記光ファイバ心線の周りを低密度ポリエチレン又は紫外線硬化樹脂で覆ったアップジャケットと、前記アップジャケットの上下に通したテンションメンバと、前記アップジャケット及びテンションメンバをウレタン又は高密度ポリエチレンで被覆した外皮と、前記外皮を吊す支持線とからなり、前記光ファイバ心線を蝉の産卵から保護することを特徴とする光ドロップケーブル。
【請求項３】
アップジャケットと外皮の接合部をギザギザにすることで、光ファイバ心線を剥き出す際に、アップジャケットが外皮と共割れすることを特徴とする請求項１又は２に記載の光ドロップケーブル。
【請求項４】
曲げ耐性のあるシングルモードファイバ又はホーリーファイバを用いた光ファイバ心線と、前記光ファイバ心線の上下に通したテンションメンバと、前記光ファイバ心線及びテンションメンバを低密度ポリエチレンで被覆した外皮と、前記外皮の側面をウレタン又は高密度ポリエチレンで三角状に形成した保護部材と、前記外皮を吊す支持線とからなり、前記光ファイバ心線を蝉の産卵から保護することを特徴とする光ドロップケーブル。
【請求項５】
保護部材を半円状にしたことを特徴とする請求項４に記載の光ドロップケーブル。
【請求項６】
曲げ耐性のあるシングルモードファイバ又はホーリーファイバを用いた光ファイバ心線と、前記光ファイバ心線の上下に通したテンションメンバと、前記光ファイバ心線及びテンションメンバを低密度ポリエチレンで被覆した外皮と、前記外皮の側面に複数埋め込んだビーズと、前記外皮を吊す支持線とからなり、前記光ファイバ心線を蝉の産卵から保護することを特徴とする光ドロップケーブル。
【請求項７】
保護部材に複数のビーズを埋め込んだことを特徴とする請求項４又は５に記載の光ドロップケーブル。
【請求項８】
外皮に光ファイバ心線を剥き出すためのノッチを設けたことを特徴とする請求項１乃至７のいずれかに記載の光ドロップケーブル。
【請求項９】
曲げ耐性のあるシングルモードファイバ又はホーリーファイバを用いた光ファイバ心線と、前記光ファイバ心線の上下に通したテンションメンバと、前記光ファイバ心線及びテンションメンバを低密度ポリエチレンで被覆した外皮と、前記外皮内に側面に沿って複数設けた空隙と、前記外皮を吊す支持線とからなり、前記光ファイバ心線を蝉の産卵から保護することを特徴とする光ドロップケーブル。
【発明の詳細な説明】
【技術分野】
【０００１】
本発明は、クマゼミの産卵による光ファイバの損傷を防止することのできる光ドロップケーブルに関するものである。
【背景技術】
【０００２】
主に西日本に生息するクマゼミは枯れ木に産卵する習性を有し、光ファイバケーブルを枯れ木と勘違いして産卵管を突き刺してしまい、心線が傷付けられることで通信障害が発生している。
【０００３】
特許文献１に記載されているように、光ファイバ心線の近傍に蝉の産卵管に対する外皮よりも硬い保護部材を設けた光ファイバケーブルの発明も公開されている。
【特許文献１】特開２００２−０９０５９１号公報
【０００４】
図１０は、従来の光ドロップケーブルの正面断面図である。光ドロップケーブル１ｉは、ケーブルの中心にある一本の光ファイバ心線２とその両脇に平行に配置した二本のテンションメンバ４を同一平面に含むように一括被覆してなる断面ほぼ矩形の外皮５の、前記平面に平行な表面の前記光ファイバ心線２の直上部および直下部に、前記光ファイバ心線２に平行に長手方向に延びるノッチ５ｂを設けており、前記外皮５よりも硬い平板状の長尺保護部材８ｃが、前記光ファイバ心線２の直上部および直下部の前記外皮５内に前記平面と平行に埋設されている。
【発明の開示】
【発明が解決しようとする課題】
【０００５】
しかしながら、特許文献１に記載の発明は、保護部材で光ファイバ心線へのダメージを抑えているものの、クマゼミのケーブルへの産卵を抑制しなければ、光ファイバ心線の損傷などの被害が無くなることはない。
【０００６】
そこで、本発明は、クマゼミの産卵による光ファイバの損傷を防止することのできる光ドロップケーブルを提供することを目的とするものである。
【課題を解決するための手段】
【０００７】
本発明は、上記の課題を解決するために、光ドロップケーブル１は、曲げ耐性のあるシングルモードファイバ又はホーリーファイバを用いた光ファイバ心線２と、前記光ファイバ心線２の周りをウレタン又はナイロン又は紫外線硬化樹脂で覆ったアップジャケット３と、前記アップジャケット３の上下に通したテンションメンバ４と、前記アップジャケット３及びテンションメンバ４を低密度ポリエチレンで被覆した外皮５と、前記外皮５を吊す支持線７とからなり、前記光ファイバ心線２を蝉の産卵から保護することを特徴とする光ドロップケーブル１の構成とした。
【発明の効果】
【０００８】
本発明は、ケーブルにウレタン等の生木に近い素材を用いることにより、クマゼミが誤ってケーブルに産卵するのを抑制することができる。また、ケーブルに複数の素材を用いることで、仮に産卵したとしても、光ファイバ心線に達しない位置で産卵させることが可能である。
【発明を実施するための最良の形態】
【０００９】
本発明は、クマゼミの産卵による光ファイバの損傷を防止するという目的を、曲げ耐性のあるシングルモードファイバ又はホーリーファイバを用いた光ファイバ心線と、前記光ファイバ心線の周りをウレタン又はナイロン又は紫外線硬化樹脂で覆ったアップジャケットと、前記アップジャケットの上下に通したテンションメンバと、前記アップジャケット及びテンションメンバを低密度ポリエチレンで被覆した外皮と、前記外皮を吊す支持線とからなる光ドロップケーブルにより実現した。
【実施例１】
【００１０】
以下に、添付図面に基づいて、本発明である光ドロップケーブルについて詳細に説明する。図１は、本発明である光ドロップケーブルの第１実施例の正面断面図である。
【００１１】
光ドロップケーブル１は、曲げ耐性のあるシングルモードファイバ又はホーリーファイバを用いた光ファイバ心線２と、前記光ファイバ心線２の周りをウレタン又はナイロン又は紫外線硬化樹脂で覆ったアップジャケット３と、前記アップジャケット３の上下に通したテンションメンバ４と、前記アップジャケット３及びテンションメンバ４を低密度ポリエチレンで被覆した外皮５と、前記外皮５を吊す支持線７とからなり、前記光ファイバ心線２を蝉の産卵から保護する。
【００１２】
光ファイバ心線２は、光の透過率が高い石英ガラス又はプラスチックで出来た光の伝送路であり、芯であるコアの屈折率を外側のクラッドよりも高くすることで、光をコアにだけ伝搬させる構造を有する。光ファイバ心線２としては、曲げ耐性のあるシングルモードファイバ又はホーリーファイバを用いる。
【００１３】
尚、シングルモードファイバは、光が単一のモードで伝送されるもので、伝送損失等が小さく長距離伝送に適するが、曲げに弱いので、曲げ耐性のあるものを用いる。また、ホーリーファイバは、クラッドに等間隔の空孔を空けたもので、広い波長域で高速な通信を可能としており、折り曲げに強く配線の自由度が高いという特徴を持つ。
【００１４】
光ファイバ心線２を覆う素材は、光ファイバ心線２との密着性が良いものを使用し、光ファイバ心線２が移動したりしないようにする必要がある。また、光ファイバ心線２を剥き出す際には、光ファイバ心線２から容易に剥がれる素材である必要がある。
【００１５】
アップジャケット３は、光ファイバ心線２の周りをウレタン又はナイロン等で覆ったものであり、外径は０．５〜０．７ｍｍである。蝉が材質の異なる境界付近で産卵する傾向にあることから、蝉の産卵管を接合部６で止め、光ファイバ心線２に達しないように保護する。
【００１６】
尚、ウレタンは、柔軟性のあるポリウレタン樹脂であり、生木に近い状態とすることができる。また、ナイロンは、ポリアミド系繊維であり、荷重、引っ張り、折り曲げ等の負荷に強い性質を有する。
【００１７】
テンションメンバ４は、光ドロップケーブル１の強度を補強し、曲げ耐性などを向上させるために、アップジャケット３の上下に通したものであり、紐状のアラミド繊維などを束ねて用いる。
【００１８】
外皮５は、アップジャケット３及びテンションメンバ４及び支持線７を低密度ポリエチレン等で被覆したものであり、外部から受ける衝撃などから光ドロップケーブル１を保護する。
【００１９】
尚、低密度ポリエチレンは、繰り返し単位のエチレンがランダムに分岐を持って結合した熱可塑性樹脂である。
【００２０】
外皮５とアップジャケット３との接合部６は平滑であるので、光ファイバ心線２を剥き出す際に、外皮５だけ裂けてアップジャケット３が残る可能性があるが、アップジャケット３は工具で除去すれば問題ない。
【００２１】
支持線７は、外皮５等で覆われた光ファイバ心線２を吊すものであり、中心に鋼線を通して外側を外皮５と同じ素材で被覆し、外皮５と繋げる。敷設時の張力を支持線７で受けることにより、光ファイバ心線２への負担を緩和する。
【００２２】
外皮５とアップジャケット３の２層構造にすることにより、光ファイバ心線２を蝉、特にクマゼミの産卵から保護することができる。また、外皮５に生木に近い素材を用いることで、蝉の産卵自体を抑制することができる。
【実施例２】
【００２３】
図２は、本発明である光ドロップケーブルの第２実施例の正面断面図である。光ドロップケーブル１ａは、アップジャケット３と外皮５の接合部６ａをギザギザにすることで、光ファイバ心線２を剥き出す際に、アップジャケット３が外皮５と共割れする。
【００２４】
接合部６ａがギザギザ状でお互いにくい込んでおり、素材的にも密着性があることから、アップジャケット３と外皮５が離れにくく、外皮５を剥がすとアップジャケット３も共に光ファイバ心線２から剥がれる。
【実施例３】
【００２５】
図３は、本発明である光ドロップケーブルの第３実施例の正面断面図である。光ドロップケーブル１ｂは、光ドロップケーブル１ａの外皮５とアップジャケット３の素材を入れ換えたような構造である。
【００２６】
光ドロップケーブル１ｂは、曲げ耐性のあるシングルモードファイバ又はホーリーファイバを用いた光ファイバ心線２と、前記光ファイバ心線２の周りを低密度ポリエチレン又は紫外線硬化樹脂で覆ったアップジャケット３ａと、前記アップジャケット３ａの上下に通したテンションメンバ４と、前記アップジャケット３ａ及びテンションメンバ４をウレタン又は高密度ポリエチレンで被覆した外皮５ａと、前記外皮５ａを吊す支持線７とからなり、アップジャケット３ａと外皮５ａの接合部６ａをギザギザにすることで、光ファイバ心線２を剥き出す際に、アップジャケット３ａが外皮５ａと共割れする。
【００２７】
アップジャケット３ａは、光ファイバ心線２の周りを低密度ポリエチレン等で覆ったものである。また、外皮５ａは、アップジャケット３ａ及びテンションメンバ４をウレタン又は高密度ポリエチレン等で被覆したものである。
【００２８】
尚、高密度ポリエチレンは、繰り返し単位のエチレンが分岐をほとんど持たず直鎖状に結合した熱可塑性樹脂であり、他のポリエチレンと比較し硬い性質を有する。
【００２９】
光ファイバ心線２とアップジャケット３ａの密着性が良いため、光ファイバ心線２が移動する心配がない。また、外皮５ａとアップジャケット３ａの接合部６ａがギザギザなので、外皮５ａを剥ぐ際にアップジャケット３ａも共割れし、一発で剥き出すことが可能である。
【実施例４】
【００３０】
図４は、本発明である光ドロップケーブルの第４実施例の正面断面図である。光ドロップケーブル１ｃは、保護部材８を用いて光ファイバ心線２を保護する。
【００３１】
光ドロップケーブル１ｃは、曲げ耐性のあるシングルモードファイバ又はホーリーファイバを用いた光ファイバ心線２と、前記光ファイバ心線２の上下に通したテンションメンバ４と、前記光ファイバ心線２及びテンションメンバ４を低密度ポリエチレンで被覆した外皮５と、前記外皮５の側面を三角状にくり抜きウレタン又は高密度ポリエチレンで被覆した保護部材８と、前記外皮５を吊す支持線７とからなる。
【００３２】
保護部材８は、光ファイバ心線２の側方の外皮５を三角形状にくり抜き、両サイドをウレタン又は高密度ポリエチレンなど他の材質に置き換えたものである。弾力や硬さを利用して蝉の産卵管の侵入を防ぐ。
【００３３】
アップジャケット３、３ａがないため、外皮５を裂けば一発で光ファイバ心線２を剥き出すことが可能である。また、外皮５と光ファイバ心線２の密着性は良好なため、光ファイバ心線２の移動についても問題はない。
【００３４】
外皮５と保護部材８の２層構造にすることにより、材質の異なる外皮５と保護部材８の境界付近で蝉の産卵管を止める効果が期待でき、光ファイバ心線２を蝉の産卵から保護することができる。
【実施例５】
【００３５】
図５は、本発明である光ドロップケーブルの第５実施例の正面断面図である。光ドロップケーブル１ｄは、保護部材８ａを半円状にする。
【００３６】
保護部材８ａは、光ファイバ心線２の側方の外皮５を半円状にくり抜き、両サイドをウレタン又は高密度ポリエチレンなど他の材質に置き換えたものである。保護部材８ａの形状は変えることができ、外皮５との接合面もギザギザ等にしても良い。
【実施例６】
【００３７】
図６は、本発明である光ドロップケーブルの第６実施例の正面断面図である。光ドロップケーブル１ｅは、ビーズ８ｂを用いて光ファイバ心線２を保護する。
【００３８】
光ドロップケーブル１ｅは、曲げ耐性のあるシングルモードファイバ又はホーリーファイバを用いた光ファイバ心線２と、前記光ファイバ心線２の上下に通したテンションメンバ４と、前記光ファイバ心線２及びテンションメンバ４を低密度ポリエチレンで被覆した外皮５と、前記外皮５の側面に複数埋め込んだビーズ８ｂと、前記外皮５を吊す支持線７とからなる。
【００３９】
ビーズ８ｂは、主に球形の小さなガラス玉であり、光ファイバ心線２の側方の外皮５に複数個埋め込む。蝉の産卵管が刺し込まれても、それ以上奥に進まないように防ぐことができる。
【実施例７】
【００４０】
図７は、本発明である光ドロップケーブルの第７実施例の正面断面図である。光ドロップケーブル１ｆは、保護部材８又は保護部材８ａに複数のビーズ８ｂを埋め込む。
【００４１】
光ファイバ心線２の側方の外皮５を保護部材８又は保護部材８ａに置き換え、更に保護部材８又は保護部材８ａ内に複数個のビーズ８ｂを埋め込むことにより、蝉の産卵を防止する効果をより向上させることができる。
【実施例８】
【００４２】
図８は、本発明である光ドロップケーブルの第８実施例の正面断面図である。光ドロップケーブル１ｇは、外皮５又は外皮５ａに光ファイバ心線２を剥き出すためのノッチ５ｂを設ける。
【００４３】
ノッチ５ｂは、外皮５に三角形などの形状で切込みを入れたもので、工具等を用いなくても外皮５を裂きやすくし、予期しない方向へ裂け目が進まないようにするためのガイドでもある。
【００４４】
尚、保護部材８又は保護部材８ａを用いた場合や、ビーズ８ｂを複数個埋め込んだ場合でも、外皮５にノッチ５ｂを設けることは可能である。ノッチ５ｂは、光ファイバ心線２の側方又はその他の位置に設けることができる。
【実施例９】
【００４５】
図９は、本発明である光ドロップケーブルの第９実施例の正面断面図である。光ドロップケーブル１ｈは、空隙５ｃを利用して光ファイバ心線２を保護する。
【００４６】
光ドロップケーブル１ｈは、曲げ耐性のあるシングルモードファイバ又はホーリーファイバを用いた光ファイバ心線２と、前記光ファイバ心線２の上下に通したテンションメンバ４と、前記光ファイバ心線２及びテンションメンバ４を低密度ポリエチレンで被覆した外皮５と、前記外皮５内に側面に沿って複数設けた空隙５ｃと、前記外皮５を吊す支持線７とからなる。
【００４７】
空隙５ｃは、外皮５の両サイドに複数対の孔を空ける。空隙５ｃの対は外皮５の側面に沿って縦方向に配置するが、光ファイバ心線２に向かって設けることもできる。空隙５ｃにより硬さの異なる境界を設ける。
【００４８】
蝉の産卵管が空隙５ｃに達すると、外皮５とは違う感触であるため、それ以上産卵管を刺すのを止めさせる効果が期待できる。また、空隙５ｃはノッチ５ｂと同様の効果を発揮し、外皮５を裂きやすくすることができる。
【図面の簡単な説明】
【００４９】
【図１】本発明である光ドロップケーブルの第１実施例の正面断面図である。
【図２】本発明である光ドロップケーブルの第２実施例の正面断面図である。
【図３】本発明である光ドロップケーブルの第３実施例の正面断面図である。
【図４】本発明である光ドロップケーブルの第４実施例の正面断面図である。
【図５】本発明である光ドロップケーブルの第５実施例の正面断面図である。
【図６】本発明である光ドロップケーブルの第６実施例の正面断面図である。
【図７】本発明である光ドロップケーブルの第７実施例の正面断面図である。
【図８】本発明である光ドロップケーブルの第８実施例の正面断面図である。
【図９】本発明である光ドロップケーブルの第９実施例の正面断面図である。
【図１０】従来の光ドロップケーブルの正面断面図である。
【符号の説明】
【００５０】
１        光ドロップケーブル
１ａ      光ドロップケーブル
１ｂ      光ドロップケーブル
１ｃ      光ドロップケーブル
１ｄ      光ドロップケーブル
１ｅ      光ドロップケーブル
１ｆ      光ドロップケーブル
１ｇ      光ドロップケーブル
１ｈ      光ドロップケーブル
１ｉ      光ドロップケーブル
２        光ファイバ心線
３        アップジャケット
３ａ      アップジャケット
４        テンションメンバ
５        外皮
５ａ      外皮
５ｂ      ノッチ
５ｃ      空隙
６        接合部
６ａ      接合部
７        支持線
８        保護部材
８ａ      保護部材
８ｂ      ビーズ
８ｃ      保護部材
【図１】
2009294456.tif 000003
【図２】
2009294456.tif 000004
【図３】
2009294456.tif 000005
【図４】
2009294456.tif 000006
【図５】
2009294456.tif 000007
【図６】
2009294456.tif 000008
【図７】
2009294456.tif 000009
【図８】
2009294456.tif 000010
【図９】
2009294456.tif 000011
【図１０】
2009294456.tif 000012